(57)【要約】【課題】無線品質の変化に応じてメッセージ送信回数を自動的に判断し送信する手段を提供する。【解決手段】基地局に、端末との間の無線品質を測定する無線品質測定部と、無線品質に応じてメッセージを複数回送信する機能を有するメッセージ送受信部を持つ。メッセージ送受信部は、無線品質測定部にて測定されたデータを用いて無線品質を分析し、メッセージの送信回数を算出する。また、メッセージを複数回送信する際、メッセージに付与するヘッダ内のシーケンス番号を同一にして送信する。無線品質測定部は、端末と基地局間の電波の品質そのものまたは電波の品質を判断するのに必要なデータを測定し、そのデータをメッセージ送受信部に伝える。【選択図】図２
2010062634.tif 000002
【特許請求の範囲】
【請求項１】
無線通信端末を収容する無線通信基地局システムにおいて、
無線通信基地局と、基地局制御装置とで構成され、
前記無線通信基地局は、前記無線通信端末との間の無線品質を測定する無線品質測定部を備え、
前記基地局制御装置は、前記無線通信端末宛のメッセージを送信するメッセージ送信部と、前記無線品質測定部の測定結果を保持するメモリとを備え、
前記メッセージ送信部は、前記メモリを参照して、前記測定結果に応じた回数だけ同じシグナリングメッセージを送信することを特徴とする無線通信基地局システム。
【請求項２】
請求項１に記載の無線通信基地局システムであって、
前記メッセージ送信部は、前記シグナリングメッセージを複数回送信するとき、同じシーケンス番号を付与することを特徴とする無線通信基地局システム。
【請求項３】
無線基地局と接続される無線通信端末において、
前記無線基地局との間の無線品質を測定する無線品質測定部と、前記無線基地局宛のメッセージを送信するメッセージ送信部と、前記無線品質測定部の測定結果を保持するメモリとを備え、
前記メッセージ送信部は、前記メモリを参照して、前記測定結果に応じた回数だけ同じシグナリングメッセージを送信することを特徴とする無線通信端末。
【請求項４】
請求項３に記載の無線通信端末であって、
前記前記メッセージ送信部は、前記シグナリングメッセージを複数回送信するとき、同じシーケンス番号を付与することを特徴とする無線通信端末。
【発明の詳細な説明】
【技術分野】
【０００１】
本発明は、無線通信基地局システムおよび無線通信端末にかかり、特にシグナリングメッセージの送信に係る無線通信基地局システムおよび無線通信端末に関する。
【背景技術】
【０００２】
携帯電話システムにおける無線通信基地局（以下、基地局と記載）と無線通信端末（以下、端末と記載）とで通信するメッセージには、音声やデータ通信のトラフィックデータと、呼を制御するためのシグナリングメッセージの２種類がある。これらのメッセージは、携帯電話システムに於いて重要な役割を担っており、メッセージの欠落が発生すると、サービスに影響を与えてしまう。従って、携帯電話システムでは、メッセージの欠落を防ぐための手段を講じている。ｃｄｍａ２０００ １ｘＥＶＤＯシステムおいては、トラフィックデータは、無線状態に応じて変調方式を変更する適応変調符号化（ＡＭＣ：Adaptive Modulation and Coding）を採用している。
【０００３】
ＡＭＣとは、無線状態の良い環境では高い変調方式を用い高いデータレートを提供し、無線状態の悪い環境では確実にデータが届くように低い変調方式を用いることにより、高い通信速度を実現する機能である。
【０００４】
また、シグナリングメッセージは、メッセージの順序性を保証するＳＬＰ（Signaling Link Protocol）というプロトコルと、併せて一律固定回数送信する機能を採用している。具体的にＳＬＰとは、各メッセージに付与するメッセージにシーケンス番号を付与し、受信側で期待しているシーケンス番号よりも古い番号であれば、古いメッセージとみなして、そのメッセージを破棄することとなっている。ＳＬＰは、順序性は保証するがメッセージ欠落に対する保証まではしていない。これらの通信プロトコルについては、非特許文献１で規定されている。
【０００５】
また、無線関連における高信頼性を目的とした通信方法としては、ＡＲＱ（Automatic Repeat reQuest）やＨＡＲＱ（Hybrid ARQ）があり、上記シグナリングメッセージもＨＡＲＱを用いて、一律固定回数だけ同じメッセージを送信することは行っている。
【０００６】
ＡＲＱとは、送信するデータをさらに小さなブロックに分割して送受信し、受信側で通信途中にエラーが発生した場合、エラーとなったブロックだけを自動的に再送信させることによるエラー訂正方式である。また、ＨＡＲＱは、ＡＲＱと同様にエラーとなったブロックを自動的に再送信させるが、エラーとなったブロック自身は破棄せず、再送データをソフト合成することによって、再送時の受信成功率を高める方法である。
【０００７】
１つのＭＡＣレイヤのパケット（以後、ＭＡＣパケットと呼ぶ）に複数のシグナリングメッセージを載せることも可能である。このように複数のメッセージを１つのパケットに載せることを、メッセージをバンドルするという。
【０００８】
【非特許文献１】3GPP2 C.S0024-A Version 3.0(2.6 Signaling Link Protocol(2-12〜2-21))
【発明の開示】
【発明が解決しようとする課題】
【０００９】
基地局と端末の間のように無線区間における通信の信頼性は、その区間の電波の品質に大きく左右される。よって、背景技術のシグナリングメッセージのように一律固定回数だけメッセージを送信していても、無線品質が悪い環境下では、メッセージが欠落する確率が相対的に高いことには変わりない。
【００１０】
だからと言って、通信の信頼性を高めるために、新たなメッセージの追加やシーケンスの変更を行いたいと考えても、基地局と端末間の通信プロトコルについては、標準で決められており、安易には変更出来ない。また、無線リソースは有限であるため、一律の送信回数を増やすにも限度がある。
【００１１】
本発明は、無線品質の変化に応じてメッセージ送信回数を自動的に判断し送信する無線通信基地局システムおよび無線通信端末を提供する。
【課題を解決するための手段】
【００１２】
上述した課題は、無線通信端末を収容し、無線通信基地局と、基地局制御装置とで構成され、無線通信基地局は、無線通信端末との間の無線品質を測定する無線品質測定部を備え、基地局制御装置は、無線通信端末宛のメッセージを送信するメッセージ送信部と、無線品質測定部の測定結果を保持するメモリとを備え、メッセージ送信部は、メモリを参照して、測定結果に応じた回数だけ同じシグナリングメッセージを送信する無線通信基地局システムにより、解決できる。
【００１３】
また、無線基地局と接続され、無線基地局との間の無線品質を測定する無線品質測定部と、無線基地局宛のメッセージを送信するメッセージ送信部と、無線品質測定部の測定結果を保持するメモリとを備え、メッセージ送信部は、メモリを参照して、測定結果に応じた回数だけ同じシグナリングメッセージを送信する無線通信端末により、解決できる。
【発明の効果】
【００１４】
無線品質の変化に応じて送信する回数を決め、複数回メッセージを送信することにより必要最小限の通信量でメッセージが欠落する確率を低くすることが出来る。
【発明を実施するための最良の形態】
【００１５】
以下、本発明の実施の形態に付いて、実施例を用い図面を参照しながら説明する。なお、実質同一部位には同じ参照番号を振り、説明は繰りかえさない。
【００１６】
まず、図１を参照して、無線通信システムの構成を説明する。ここで、図１は無線通信システムのブロック図である。図１において、無線通信システム２００は、端末１０と、端末１０と通信する基地局２０（Base Station）と、基地局２０の動作を管理、制御するＢＳＣ３０（Base Station Controller、基地局制御装置）、インターネット５０へ接続するためのパケットを中継するＰＤＳＮ４０（Packet Data Serving Node、パケットデータ中継装置）から構成される。
【００１７】
利用者は、端末１０を操作することにより、基地局２０、ＢＳＣ３０、ＰＤＳＮ４０を介してインターネット５０に接続し、様々なデータの送受信が可能である。
【００１８】
図２を参照して、基地局およびＢＳＣの内部構成を説明する。ここで、図２は基地局およびＢＳＣの要部ブロック図である。図２において、基地局２０は、無線信号を送受信するアンテナ２１と、端末との間の無線の品質を測定する無線品質測定部２２から構成される。ＢＳＣ３０は、基地局２０にて測定した無線品質のデータを格納するメモリ３１、メッセージの送信回数を算出およびメッセージの送信時に使用するＣＰＵ３２、端末へのメッセージを送信を制御するメッセージ送受信部３３から構成される。無線品質測定部２２は、端末１０との間の無線信号の品質を測定する。ＢＳＣ３０は、無線品質測定部２２の測定結果を保持するメモリ３１を参照して、メッセージ送受信部３３から基地局２０を経由してメッセージを送信する。なお、本明細書において、基地局２０およびＢＳＣ３０とを併せて無線通信基地局システムと呼ぶ。
【００１９】
図３を参照して、端末からメッセージを送信する場合の端末の内部構成を説明する。ここで、図３は端末の要部ブロック図である。図３において、無線端末１０は、無線信号を送受信するアンテナ１５と、端末へのメッセージを送信を制御するメッセージ送受信部１１、基地局２０との間の無線の品質を測定する無線品質測定部１２と、メッセージの送信回数を算出およびメッセージの送信時に使用するＣＰＵ１３、無線品質測定部１２にて測定した無線品質のデータを格納するメモリ１４から構成される。なお、基地局２０の無線品質測定部２２と端末１０の無線品質測定部１２における無線品質の測定方法は、異なっても構わない。
【００２０】
次に送信されるメッセージのパケット構成について説明する。図４を参照して、ＭＡＣ（Media Access Control）パケットの構成を説明する。ここで、図４はＭＡＣパケットのフォーマットである。図４において、ＭＡＣパケット７０は、ＭＡＣペイロード１１０と、ＭＡＣヘッダ１１１から構成される。ＭＡＣペイロード１１０には、図５で説明するＳｔｒｅａｍ Ｌａｙｅｒパケット１０５が載る。
【００２１】
図５を参照して、Ｓｔｒｅａｍ Ｌａｙｅｒパケットの構成を説明する。ここで、図５はＳｔｒｅａｍ Ｌａｙｅｒパケットのフォーマットである。図５において、Ｓｔｒｅａｍ Ｌａｙｅｒパケット１０５は、シグナリングメッセージを載せるメッセージ部６０と、各プロトコル用のヘッダである、ＳＮＰ（Signaling Network Protocol）ヘッダ６１、ＳＬＰ−Ｄ（SLP delivery layer）ヘッダ６２、ＳＬＰ−Ｆ（SLP fragmentation layer）ヘッダ６３、Ｓｔｒｅａｍ Ｌａｙｅｒヘッダ６４から構成される。
【００２２】
図６を参照して、ＳＬＰ−Ｄヘッダの詳細な構成を説明する。ここで、図６はＳＬＰ−Ｄヘッダのフォーマットである。図６において、ＳＬＰ−Ｄヘッダ６２は、ＦｕｌｌＨｅａｄｅｒＩｎｃｌｕｄｅｄ８４、ＡｃｋＳｅｑｕｅｎｃｅＶａｌｉｄ８３、ＡｃｋＳｅｑｕｅｎｃｅＮｕｍｂｅｒ８２、ＳｅｑｕｅｎｃｅＶａｌｉｄ８１、ＳｅｑｕｅｎｃｅＮｕｍｂｅｒ（以下シーケンス番号と呼ぶ）８０の要素から構成される。
【００２３】
通常ＳＬＰにおける通信の際には、メッセージを送信する毎に、このＳＬＰ−Ｄヘッダ６２内のシーケンス番号８０をインクリメントする。受信側では、受信したメッセージのシーケンス番号８０が期待している番号よりも古い番号であれば、古いメッセージとみなして、そのメッセージを破棄する。よって、シーケンス番号８０が同一番号であるメッセージを複数送信するように変更しても、受信側の処理に変更は不要である。
【００２４】
以上、ｃｄｍａ２０００ １ｘＥＶＤＯシステムにおけるシグナリングメッセージ（Ｃｏｎｔｒｏｌ Ｃｈａｎｎｅｌのメッセージ）のＳＬＰ−Ｄヘッダ６２内シーケンス番号８０を用いて、複数回のメッセージ送信する実施例を説明した。しかし、適用は、ｃｄｍａ２０００ １ｘＥＶＤＯシステムには限らない。メッセージに付与するヘッダ内にメッセージを順序を表すシーケンス番号を有し、かつメッセージ受信側で同一のシーケンス番号のメッセージは破棄する機能を有するものであれば実現可能である。
【００２５】
図７を参照して、メッセージ送信時のフローを説明する。ここで、図７はメッセージの送信処理のフローチャートである。ここでは、ＢＳＣ３０、基地局２０側から端末１０にメッセージを送信するケースを説明する。ただし、端末１０から基地局２０、ＢＳＣ３０へメッセージを送信するケースでも構わない。
【００２６】
図７において、初めに、メッセージ送受信部３３は、送信するために必要なヘッダ（ＳＮＰヘッダ６１、ＳＬＰ−Ｄヘッダ６２、ＳＬＰ−Ｆヘッダ６３、Ｓｔｒｅａｍ Ｌａｙｅｒヘッダ６４）をメッセージ６０に付与する（Ｓ１００）。その後、メッセージ送受信部３３は、測定した端末１０との間の無線品質に関するデータをメモリ３１より取得する（Ｓ１０１）。ここで、無線の品質データとは、無線品質を数値的に表したものを意図している。しかし、無線の品質を直に表す値でなくても、無線品質を算出出来るデータであっても構わない。一例は、ＲＴＤ（Round Trip Delay、メッセージの遅延時間）または送信タイムアウトによるメッセージ送信のリトライ回数等である。また、無線品質に関するデータは、定期的または必要に応じて無線品質測定部２２からメモリ３１に格納されるものとする。次に、メッセージ送受信部３３は、品質のデータを分析し、メッセージの送信を繰り返す回数を算出する（Ｓ１０２）。算出した回数分メッセージの送信を繰り返す（Ｓ１０３〜Ｓ１０５）。この時、それぞれのメッセージを、別々のＭＡＣパケット７０にて送信し、バンドルして送信しない。
これらの手順を踏むことにより、無線品質が悪い場合にメッセージの送信回数を多くすることで、メッセージが欠落する確率を減少させることが出来る。
【００２７】
図８を参照して、メッセージ送信時の手順を説明する。ここで、図８はＢＳＣと端末間のシーケンス図である。なお、ここでは、ＢＳＣ３０から端末１０にメッセージを送信するケースでのＢＳＣ３０と端末１０の動作を説明する。
【００２８】
図８において、初めに、ＢＳＣ３０は、メッセージ６０にヘッダ付与を付与する（Ｓ１１１）。ＢＳＣ３０は、無線品質に関するデータを取得する（Ｓ１１２）。ＢＳＣ３０は、メッセージ送信回数の算出を行なう（Ｓ１１３）。
【００２９】
次に、ＢＳＣ３０は、ステップ１１２にて算出した回数分、同一メッセージを連続して送信する（Ｓ１１４−１〜Ｓ１１４−３）。この連続送信の間は、端末１０からの応答は待たない。なお、ここでは送信回数を３回としているが、３回とは限らない。
【００３０】
次に、端末１０の受信動作について説明する。ここでは１回目のメッセージ送信（Ｓ１１４−１）が端末１０に届かず、２回目および３回目のメッセージ送信（Ｓ１１４−２、Ｓ１１４−３）は端末１０に届いたとする。端末１０は、２回目のメッセージ送信（Ｓ１１４−２）を受信した際、このメッセージについては、最初の受信となるので、受信は成功となる（Ｓ１１６）。次に、端末１０が３回目のメッセージ送信（Ｓ１１４−３）を受信すると、同一シーケンス番号のメッセージは既に受信しているので、端末１０は、３回目に送信されたメッセージは破棄する（Ｓ１１７）。これらの処理により、複数回メッセージを送信された場合でも、端末１０は、メッセージを正しく受信できる。
【００３１】
図９を参照して、無線品質によるメッセージ送信回数の設定を説明する。ここで、図９は無線品質の時間的変化とそれに伴う送信回数の設定を説明するグラフである。図９において、縦軸は、無線の品質を表し、上に行く（値が小さくなる）ほど無線の品質が良好、下に行く（値が大きくなる）ほど無線の品質が劣悪であることを示す。横軸は、右に行くほど時間が経過することを表す。品質の評価基準として閾値（ＲＴＤ＝１００ｍｓ、ＲＴＤ＝２００ｍｓ）を設ける。この２値は、「無線の品質が劣悪＜ＲＴＤ＝２００ｍｓ＜ＲＴＤ＝１００ｍｓ＜無線の品質が良好」という関係である。
【００３２】
この時、メッセージの送信回数を次のように規定する。すなわち、「ＲＴＤ＞２００ｍｓ」は３回、「１００ｍｓ＜ＲＴＤ≦２００ｍｓ」は２回、「ＲＴＤ≦１００ｍｓ」は１回とする。
【００３３】
図９の曲線のように、無線の品質が推移すると、ｔ０からｔ１までは１回メッセージを送信し、ｔ１からｔ２の区間は、無線の品質が悪くなり、２回メッセージを送信する。ｔ２からｔ３までは、無線の品質がさらに悪くなり、３回となる。その後は、無線品質が改善しｔ３からｔ４までの期間は、２回に減少し、ｔ４以降はまた品質が悪くなったので、３回とする。無線品質を評価するための閾値を設け、実際の無線品質のデータ値がその閾値を越えた時に、メッセージの送信回数を変えていくことで、無線品質に応じた最適なメッセージ送信回数を算出することが出来る。ここでは、閾値を２値設けたが、２値だけには限らない。
【００３４】
このように、無線品質に応じてメッセージ送信回数を変化させることで、無線品質が悪い状態では送信回数を増やし、無線品質が良い状態の時には送信回数を減らし、メッセージの欠落する確率を効率的に減少させることが出来る
上述した実施例では、無線品質に応じてメッセージの送信回数のみを最適化するとしているが、併せて複数メッセージのバンドルの最適化も実施しても良い。無線品質が良い場合には、複数のメッセージを１つのパケットに載せて送信することで、無線リソースの効率化を実現出来る。
【００３５】
図１０を参照して、複数のメッセージをバンドルした場合のＭＡＣパケットの構成を説明する。ここで、図１０は他のＭＡＣペイロードのフォーマットである。図１０において、ＭＡＣペイロード１１０Ａは、バンドルした場合、図４で説明したＳｔｒｅａｍ Ｌａｙｅｒパケット１０５が複数載る構成となる。
【００３６】
図１１を参照して、バンドルも含めた場合の端末の送信処理を説明する。ここで、図１１はメッセージ送受信部１１の送信処理のフローチャートである。なお、ＢＳＣ３０から端末１０へメッセージを送信するフローチャートも同様である。
【００３７】
メッセージ送信処理開始後、初めにメッセージ送受信部１１は、送信するために必要なヘッダ（ＳＮＰヘッダ６１、ＳＬＰ−Ｄヘッダ６２、ＳＬＰ−Ｆヘッダ６３、Ｓｔｒｅａｍ Ｌａｙｅｒヘッダ６４）をメッセージ６０に付与する（Ｓ１２１）。その後、メッセージ送受信部１１は、測定した基地局２０との間の無線品質に関するデータをメモリ１４より取得する（Ｓ１２２）。ここで、無線の品質データとは総搬送波電力対雑音電力比（Ｃ／Ｉ）のように無線品質を数値的に表したものを意図している。しかし、無線の品質を直に表す値でなくても、無線品質を算出出来るデータであっても構わない。また、無線品質に関するデータは、定期的または必要に応じて無線品質測定部１２からメモリ１４に格納されるものとする。
【００３８】
その後、メッセージ送受信部１１は、無線の品質をチェックしてその結果によって処理を分割する（Ｓ１２３）。ステップ１２３において、無線の品質が悪い場合（ＮＯ）、メッセージ送受信部１１は、メッセージを複数回送信する処理を実行する。ステップ１２３において、無線の品質が良好な場合（ＹＥＳ）、メッセージ送受信部１１は、バンドルする処理を実行する。
【００３９】
メッセージを複数回送信する処理の場合、メッセージ送受信部１１は、品質のデータを分析し、メッセージの送信を繰り返す回数を算出する（Ｓ１２４）。メッセージ送受信部１１は、算出した回数分メッセージの送信を繰り返す（Ｓ１２６〜Ｓ１２８）。この時、メッセージ送受信部１１は、それぞれのメッセージを、別々のＭＡＣパケットにて送信し、バンドルして送信しない。
【００４０】
バンドルする処理の場合、メッセージ送受信部１１は、まず初めにメッセージ送受信部１１内のバッファ（メッセージ送信用バッファ）に送信するメッセージ（ＳｔｒｅａｍＬａｙｅｒパケット１０５）を格納するだけの空き容量があるかを確認する（Ｓ１２９）。これは、バンドルして送信しようとしてバッファ内に格納されたままとなっているメッセージ（ＳｔｒｅａｍＬａｙｅｒパケット１０５）があった場合に、新たに送信しようとしているメッセージ（ＳｔｒｅａｍＬａｙｅｒパケット１０５）を追加しても、ＭＡＣペイロード１１０の最大サイズを超えないかを確認するものである。
【００４１】
ステップ１２９にて、格納するだけの領域があれば（ＹＥＳ）、メッセージ送受信部１１は、そのままメッセージをバッファに格納する（Ｓ１３１）。次に、メッセージ送受信部１１は、送信待ちのメッセージがまだあるかをチェックする（Ｓ１３２）。送信待ちのメッセージがあれば（ＹＥＳ）、バンドル出来る可能性があるので、バッファにメッセージを格納したまま、ステップ１２１に遷移する。ステップ１３２で、送信待ちのメッセージが無ければ（ＮＯ）、現在バッファに格納されているメッセージを送信して（Ｓ１３３）、終了する。
【００４２】
ステップ１２９で、ＭＡＣペイロード１１０の最大サイズを超えてしまう（バッファに格納出来ない）場合（ＮＯ）、メッセージ送受信部１１は、現在バッファに格納されているメッセージを送信する（Ｓ１３０）。その後、格納出来なかったメッセージをバッファに格納する（Ｓ１３１）。
【００４３】
これらの手順を踏むことにより、無線品質が悪い場合にメッセージの送信回数を多くし、無線品質が良好な場合には、メッセージをバンドルさせることにより、メッセージが欠落する確率を減少させ、しかも無線リソースを効率的に使用できる。
【００４４】
図１２を参照して、無線品質の変化によるメッセージ送信回数およびバンドルの変化を説明する。ここで、図１２は無線品質の時間的変化とそれに伴う送信回数とバンドルの設定を説明するグラフである。
【００４５】
図１２において、縦軸は無線の品質を表し、上に行く（値が小さくなる）ほど無線の品質が良好、下に行く（値が大きくなる）ほど無線の品質が劣悪であることを示す。横軸は、右に行くほど時間が経過することを表す。品質の評価基準として閾値（ＲＴＤ＝１００ｍｓ、ＲＴＤ＝２００ｍｓ、ＲＴＤ＝３００ｍｓ）を設ける。この３値は、「無線の品質が劣悪＜ＲＴＤ＝３００ｍｓ＜ＲＴＤ＝２００ｍｓ＜ＲＴＤ＝１００ｍｓ＜無線の品質が良好」という関係とする。
【００４６】
この時、メッセージの送信回数を次のように規定する。すなわち、「ＲＴＤ＞３００ｍｓ」は４回送信、「２００ｍｓ＜ＲＴＤ≦３００ｍｓ」は３回送信、「１００ｍｓ＜ＲＴＤ≦２００ｍｓ」は２回送信、「ＲＴＤ≦１００ｍｓ」は１回送信する。また、メッセージのバンドルについては、ＲＴＤ＝１００ｍｓを閾値として、無線品質がＲＴＤ＝１００ｍｓよりも高い場合（ＲＴＤ≦１００ｍｓ）には、積極的にバンドルするように処理を行い、無線品質がＲＴＤ＝１００ｍｓよりも低い場合（ＲＴＤ＞１００ｍｓ）には、メッセージのバンドルは行わないようにする。このように、メッセージの送信回数と、バンドルの実行可否は独立に設定することが可能である。メッセージをバンドルする際は、無線品質が良い状態なので基本的には、メッセージ送信回数を１とするのが良いが、１より大きくても構わない。
【００４７】
図１２の曲線のように、無線の品質が推移すると、ｔ０からｔ１まではバンドルを行いかつ１回メッセージを送信する。ｔ１からｔ２の区間は、無線の品質が悪くなったので、バンドルを行わずに回数を増やして２回送信する。ｔ２からｔ３までは、無線の品質がさらに悪くなったので、バンドルを行わずに送信回数を増やして３回送信する。ｔ３からｔ４までの期間は、バンドルを行わずにさらに送信回数を４回にする、ｔ４以降は品質が良くなったが２００ｍｓ＜ＲＴＤ≦３００ｍｓなのでバンドルは行わず、送信回数を減らして３回とする。無線品質を評価するための閾値を設け、実際の無線品質のデータ値がその閾値を越えた時に、メッセージの送信回数を変えていくことで、無線品質に応じた最適なメッセージ送信回数を算出することが出来る。また、バンドルについても閾値を基準に実行可否を判断することで、無線品質に応じて無線リソースを有効に使用することが出来る。なお、本実施例では、閾値を３値設けたが、３値だけには限らない。
【００４８】
このように、無線品質に応じてメッセージ送信回数、バンドル可否を変化させることで、無線品質が悪い状態では送信回数を増やし、無線品質が良い状態の時には送信回数を減らしかつ無線リソースを有効に使用することができる。よって、メッセージの欠落する確率を効率的に減少させることができる
【図面の簡単な説明】
【００４９】
【図１】無線通信システムのブロック図である。
【図２】基地局およびＢＳＣの要部ブロック図である。
【図３】端末の要部ブロック図である。
【図４】ＭＡＣパケットのフォーマットである。
【図５】Ｓｔｒｅａｍ Ｌａｙｅｒパケットのフォーマットである。
【図６】ＳＬＰ−Ｄヘッダのフォーマットである。
【図７】メッセージの送信処理のフローチャートである。
【図８】ＢＳＣと端末間のシーケンス図である。
【図９】無線品質の時間的変化とそれに伴う送信回数の設定を説明するグラフである。
【図１０】他のＭＡＣペイロードのフォーマットである。
【図１１】メッセージ送受信部１１の送信処理のフローチャートである。
【図１２】無線品質の時間的変化とそれに伴う送信回数とバンドルの設定を説明するグラフである。
【符号の説明】
【００５０】
１０…端末、１１…メッセージ送受信部、１２…無線品質測定部（端末側）、１３…ＣＰＵ、１４…メモリ、１５…アンテナ２０…基地局、２１…アンテナ、２２…無線品質測定部（基地局側）３０…ＢＳＣ、３１…メモリ、３２…ＣＰＵ、３３…メッセージ送受信部（ＢＳＣ側）、４０…ＰＤＳＮ、５０…インターネット、６０…メッセージ、７０…ＭＡＣパケット、１０２…ＳＬＰ−Ｄヘッダ、１０５…ＳｔｒｅａｍＬａｙｅｒパケット、１１０…ＭＡＣペイロード、１１１…ＭＡＣヘッダ、２００…無線通信システム。
【図１】
2010062634.tif 000003
【図２】
2010062634.tif 000004
【図３】
2010062634.tif 000005
【図４】
2010062634.tif 000006
【図５】
2010062634.tif 000007
【図６】
2010062634.tif 000008
【図７】
2010062634.tif 000009
【図８】
2010062634.tif 000010
【図９】
2010062634.tif 000011
【図１０】
2010062634.tif 000012
【図１１】
2010062634.tif 000013
【図１２】
2010062634.tif 000014